(57)【要約】      （修正有）【課題】セットされている洗剤の容量により、適したメンテナンスを自動的に判断し実行することが可能な自動分析装置を提供する。【解決手段】分析部のメンテナンスには同じ洗剤を使用する２種類以上のメンテナンスが含まれ、分析部の２種類以上のメンテナンスの実行の際に、洗剤容器内の洗剤量を判定し、洗剤量が使用量の合計以上あるか否かを判定し、洗剤量が合計以上あると判定した場合には、試料ノズルでこれらのメンテナンスのために洗剤を吸引させる。このことで、夫々のメンテナンスを実行することで、オペレータのミスがあっても他の位置に設置された洗剤をミスした箇所のメンテナンスに使用することができる。【選択図】図５
2018169166.tif 000002
【特許請求の範囲】
【請求項１】
試料容器から試料を吸引し分析部の容器に分注する試料ノズルを備えた試料分注機構と、
前記試料容器を収容する容器収容手段を駆動させることで前記試料ノズルが試料を吸引できる試料吸引位置まで前記試料容器を搬送する搬送機構と、
前記分析部の分析および前記分析部のメンテナンスを実行するコントローラと、を備え、
前記分析部のメンテナンスには、同じ洗剤に対して第１使用量を使用する第１メンテナンスと第２使用量を使用する第２メンテナンスが含まれ、
前記コントローラは、
前記分析部のメンテナンスの実行の際に、前記搬送機構を制御することで洗剤が含まれる洗剤容器が収容された容器収容手段を前記試料吸引位置まで搬送し、
前記洗剤容器内の洗剤量を判定し、
判定された前記洗剤容器内の洗剤量が前記第１使用量と前記第２使用量の合計以上あるか否かを判定し、
判定の結果、前記洗剤容器内の洗剤量が前記合計以上あると判定した場合には、前記試料ノズルで前記第１および前記第２メンテナンスのために洗剤を吸引させ、夫々のメンテナンスを実行する
ことを特徴とする自動分析装置。
【請求項２】
請求項１記載の自動分析装置において、
さらに、前記コントローラは、
前記第１と前記第２メンテナンスのいずれかを実行すべきかを識別し、
前記判定された前記洗剤容器内の洗剤量が前記合計以上であると判定した場合には、識別されたメンテナンスと、識別されていないメンテナンスの前記第１および前記第２メンテナンスの双方を実行する
ことを特徴とする自動分析装置。
【請求項３】
請求項２記載の自動分析装置において、
さらに、前記第１および前記第２メンテナンスのメンテナンス周期と夫々のメンテナンスに対して前回の実施時期を記憶する記憶部を備え、
前記コントローラは、前記識別されていないメンテナンスにおいては、前記記憶部に記憶された前記前回の実施時期と前記メンテナンス周期に基づき前記識別されていないメンテナンスの実行の要否の判定を行う
ことを特徴とする自動分析装置。
【請求項４】
請求項３記載の自動分析装置において、
前記コントローラは、
前記容器収容手段に収容された洗剤容器の位置に応じて前記第１および前記第２メンテナンスのいずれかを実行すべきかを識別する
ことを特徴とする自動分析装置。
【請求項５】
請求項４記載の自動分析装置において、
前記コントローラは、
前記容器収容手段の第１位置に洗剤容器が収容されている場合には前記第１メンテナンスを実行するよう識別し、前記容器収容手段の第２位置に洗剤容器が収容されている場合には前記第２メンテナンスを実行するように識別し、
前記第１位置に洗剤容器が収容されているか否か、前記第２位置に洗剤容器が収容されているか否かを判定し、
当該判定結果に基づき、洗剤容器の位置に応じて対応するメンテナンスを実行し、
前記コントローラは、
以下の（１）〜（３）の条件を判定し、全ての条件を満たす場合に、前記第１および前記第２メンテナンスの双方を実行することを特徴とする自動分析装置。
（１）前記第１位置に洗剤容器が収容され、且つ、前記第２位置に洗剤容器が収容されていない場合
（２）前記第１位置の洗剤容器内の洗剤量が前記第１使用量と前記第２使用量の合計以上ある場合
（３）前記記憶部に記憶された前記第２メンテナンスの前回の実施時期と前記第２メンテナンスのメンテナンス周期に基づき、現在の時期が前記メンテナンス周期を超えている場合
【請求項６】
試料容器から試料を吸引し分析部の容器に分注する試料ノズルを備えた試料分注機構と、
前記試料容器を収容する容器収容手段を駆動させることで前記試料ノズルが試料を吸引できる試料吸引位置まで前記試料容器を搬送する搬送機構と、
前記分析部の分析および前記分析部のメンテナンスを実行するコントローラと、を備え、
前記分析部のメンテナンスには、同じ洗剤に対して第１使用量を使用する第１メンテナンスと第２使用量を使用する第２メンテナンスが含まれ、
前記第１メンテナンスと前記第２メンテナンスの優先順位を記憶する記憶部をさらに備え、
前記コントローラは、
前記分析部のメンテナンスの実行の際に、前記搬送機構を制御することで、洗剤が含まれる洗剤容器が収容された容器収容手段を前記試料吸引位置まで搬送し、
前記優先順位の識別と、
前記洗剤容器内の洗剤量を判定し、
前記第１メンテナンスが前記優先順位について最も高い順位として記憶されていた場合に、判定された前記洗剤容器内の洗剤量が、前記第１使用量以上あるか否かを判定し、
判定の結果、前記洗剤容器内の洗剤量が前記第１使用量以上あると判定した場合には、前記試料ノズルで前記第１メンテナンスのために洗剤を吸引させ、前記第１メンテナンスを実行する
ことを特徴とする自動分析装置。
【請求項７】
請求項６記載の自動分析装置において、
前記コントローラは、
前記判定の結果、前記洗剤容器内の洗剤量が前記第１使用量未満であると判定した場合には、前記優先順位について次に高い順位として記憶されている前記第２メンテナンスについて、判定された前記洗剤容器内の洗剤量が、前記第２使用量以上あるか否かを第２判定し、
前記第２判定の結果、前記洗剤容器内の洗剤量が前記第２使用量以上（前記第２使用量は前記第１使用量よりも小さいとする）であると判定した場合には、前記試料ノズルで前記第２メンテナンスのために洗剤を吸引させ、前記第２メンテナンスを実行する
ことを特徴とする自動分析装置。
【請求項８】
請求項７記載の自動分析装置において、
前記コントローラは、
前記容器収容手段の第１位置に洗剤容器が収容されている場合には前記第１メンテナンスを実行するよう識別し、前記容器収容手段の第２位置に洗剤容器が収容されている場合には前記第２メンテナンスを実行するように識別し、
前記第１メンテナンスが前記優先順位について最も高い順位として記憶され、前記第２メンテナンスが次に高い順位として記憶され、
前記第１位置と前記第２位置に夫々洗剤容器が収容されている場合には、前記第１および前記第２メンテナンスを実行し、
前記第１位置に洗剤容器が収容されておらず前記第２位置に洗剤容器が収容されている場合には、前記第２位置に収容された洗剤容器内の洗剤を用いて前記第１メンテナンスを優先的に実行する
ことを特徴とする自動分析装置。
【請求項９】
請求項８記載の自動分析装置において、
前記コントローラは、
前記第２位置に収容された洗剤容器内の洗剤量が前記第１使用量と前記第２使用量の合計以上あるか否かを第３判定し、
前記第３判定の結果、前記洗剤容器内の洗剤量が前記合計以上あると判定した場合には、前記第２位置に収容された洗剤容器内の洗剤を用いて前記第１メンテナンス、前記第２メンテナンスの順に実行する
ことを特徴とする自動分析装置。
【請求項１０】
請求項９記載の自動分析装置において、
前記コントローラは、
前記第１および前記第２位置に夫々洗剤容器が収容されている場合に、夫々の洗剤容器内の洗剤量を判定し、且つ、これらを合算し、
合算された洗剤量および前記優先順位に基づき、優先順位の高い前記第１メンテナンス、次に優先順位の高い前記第２メンテナンスの順に実行する
ことを特徴とする自動分析装置。
【請求項１１】
請求項６記載の自動分析装置において、
さらに、前記第１および前記第２メンテナンスのメンテナンス周期と夫々のメンテナンスに対して前回の実施時期を記憶する記憶部を備え、
前記コントローラは、
前記記憶部に記憶された前記第１および前記第２メンテナンスの前回の実施時期と前記第１および前記第２メンテナンスのメンテナンス周期に基づき、現在の時期が夫々の前記メンテナンス周期を超えているか否かを判定し、
前記優先順位の識別は、前記メンテナンス周期を超えているメンテナンスの中から優先順位の高低を識別する
ことを特徴とする自動分析装置。
【請求項１２】
請求項３、５、１１のいずれか記載の自動分析装置において、
前記コントローラは、
現在の時期が前記メンテナンス周期を超えた場合に、その旨をオペレータに報知する
ことを特徴とする自動分析装置。
【請求項１３】
請求項１〜１２のいずれか記載の自動分析装置において、
前記コントローラは、
前記洗剤量を判定する際に、洗剤容器内の液面高さの情報から判定する
ことを特徴とする自動分析装置。
【請求項１４】
請求項１３記載の自動分析装置において、
前記コントローラは、
予め記憶されている洗剤容器の容器形状と、前記液面高さの情報とから、前記洗剤量を判定する
ことを特徴とする自動分析装置。
【請求項１５】
請求項１３又は１４記載の自動分析装置において、
さらに、前記液面高さの情報を検出するセンサを備え、
前記コントローラは、
前記センサから検出された前記液面高さ情報を取得する
ことを特徴とする自動分析装置。
【請求項１６】
請求項１〜１５のいずれか記載の自動分析装置において、
前記分析部は、電解質分析部であり、
前記電解質分析部は、試料を希釈する希釈槽と、希釈された試料を測定する測定用電極と、前記希釈槽と前記測定用電極との間の流路とを有し、
前記第１および前記第２メンテナンスは、一方は洗剤を希釈せずに前記希釈槽を洗浄するメンテナンスであり、他方は洗剤を希釈し前記流路を洗浄するメンテナンスであることを特徴とする自動分析装置。
【請求項１７】
請求項３、５、１１のいずれか記載の自動分析装置において、
前記第１および前記第２メンテナンスは、一方のメンテナンス周期は１日で他方のメンテナンス周期は１週間であることを特徴とする自動分析装置。
【発明の詳細な説明】
【技術分野】
【０００１】
本発明は、血液、尿等の生体試料中の成分を定性・定量する自動分析装置に関するものである。
【背景技術】
【０００２】
試料や試薬による汚れの蓄積による測定精度の低下を防ぐため、洗剤を使用して分析機構を洗浄することが必要な場合がある。特許文献1では洗浄水や装置内に設置した洗剤により洗浄を実施している。しかし、洗浄に使用する洗剤が揮発性の高い場合や変性しやすい場合は、分析装置内に当該洗剤を常時設置しておくことができず、オペレータが使用時に容器に洗剤を入れて供給する。自動化の進んだ臨床検査室においては、オペレータによる手作業には「人為的なミス」が発生する可能性がある。その一例が準備する洗剤量の間違いである。そのため、人為的なミスが発生しても最大限の洗浄動作を自動的に認識して実行する自動分析装置が求められている。
【先行技術文献】
【特許文献】
【０００３】
【特許文献１】特開２０１１−１１２５０２号公報
【発明の概要】
【発明が解決しようとする課題】
【０００４】
自動分析装置においては、試料や試薬による汚れの蓄積による測定精度の低下を防ぐため、洗剤を使用して分析機構を洗浄することが必要な場合がある。複数の洗剤を設置可能な洗剤供給専用のラックを装置に投入することにより実施される洗浄において、ラック上の洗剤設置位置に応じて、洗浄箇所や、洗浄動作が選択されるようプログラムされている装置がある。そのような装置において各洗浄の実施周期管理がされている場合においても、当該位置に十分な量の洗剤が設置されなければ、周期管理により要求される洗浄が実施されない。すなわち、十分な量の洗剤が設置されないといったオペレータのミスがあると洗浄が実施されない。洗剤容器の設置し忘れのミスについても同様の課題がある。
【０００５】
本発明の目的は、セットされている洗剤の容量により、適したメンテナンスを自動的に判断し実行することが可能な自動分析装置を実現することである。
【課題を解決するための手段】
【０００６】
上記目的を達成するため、代表的な発明は、試料容器から試料を吸引し分析部の容器に分注する試料ノズルを備えた試料分注機構と、前記試料容器を収容する容器収容手段を駆動させることで前記試料ノズルが試料を吸引できる試料吸引位置まで前記試料容器を搬送する搬送機構と、前記分析部の分析および前記分析部のメンテナンスを実行するコントローラと、を備え、前記分析部のメンテナンスには、同じ洗剤に対して第１使用量を使用する第１メンテナンスと第２使用量を使用する第２メンテナンスが含まれ、前記コントローラは、前記分析部のメンテナンスの実行の際に、前記搬送機構を制御することで洗剤が含まれる洗剤容器が収容された容器収容手段を前記試料吸引位置まで搬送し、前記洗剤容器内の洗剤量を判定し、判定された前記洗剤容器内の洗剤量が前記第１使用量と前記第２使用量の合計以上あるか否かを判定し、判定の結果、前記洗剤容器内の洗剤量が前記合計以上あると判定した場合には、前記試料ノズルで前記第１および前記第２メンテナンスのために洗剤を吸引させ、夫々のメンテナンスを実行する自動分析装置である。
【０００７】
別の代表的な発明は、試料容器から試料を吸引し分析部の容器に分注する試料ノズルを備えた試料分注機構と、前記試料容器を収容する容器収容手段を駆動させることで前記試料ノズルが試料を吸引できる試料吸引位置まで前記試料容器を搬送する搬送機構と、前記分析部の分析および前記分析部のメンテナンスを実行するコントローラと、を備え、前記分析部のメンテナンスには、同じ洗剤に対して第１使用量を使用する第１メンテナンスと第２使用量を使用する第２メンテナンスが含まれ、前記第１メンテナンスと前記第２メンテナンスの優先順位を記憶する記憶部をさらに備え、前記コントローラは、前記分析部のメンテナンスの実行の際に、前記搬送機構を制御することで、洗剤が含まれる洗剤容器が収容された容器収容手段を前記試料吸引位置まで搬送し、前記優先順位の識別と、  前記洗剤容器内の洗剤量を判定し、前記第１メンテナンスが前記優先順位について最も高い順位として記憶されていた場合に、判定された前記洗剤容器内の洗剤量が、前記第１使用量以上あるか否かを判定し、判定の結果、前記洗剤容器内の洗剤量が前記第１使用量以上あると判定した場合には、前記試料ノズルで前記第１メンテナンスのために洗剤を吸引させ、前記第１メンテナンスを実行する自動分析装置である。
【発明の効果】
【０００８】
本発明によれば、セットされている洗剤の容量に適したメンテナンスを自動的に判断し実行することが可能な自動分析装置を実現することができる。
【図面の簡単な説明】
【０００９】
【図１】本発明が適用された自動分析装置の全体概略構成図である。
【図２】本発明が適用された自動分析装置の電解質ユニット概略構成図である。
【図３】本発明が適用された自動分析装置に用いる洗浄ラックを上面から見た上面図である。
【図４】本発明が適用された自動分析装置の電解質ユニットのメンテナンス項目管理画面である。
【図５】本発明が適用された自動分析装置のメンテナンスのフロー図である。
【発明を実施するための形態】
【００１０】
以下、本発明の実施例を図面に基づいて説明する。
【００１１】
図１は自動分析装置の全体概略構成図である。図１において、操作部１に内蔵された制御ユニット（以下、コントローラとも言う）６は、インタフェース３を介して、分析部２の動作を制御する。
【００１２】
試料分注機構９は試料容器から試料を吸引し分析部２の容器に分注する試料ノズル１８を備える。搬送機構２４は試料容器を収容する試料ラック８を駆動させることで試料ノズル１８が試料を吸引できる試料吸引位置まで試料容器を搬送する。制御ユニット（コントローラ）６は、後述する電解質項目や比色項目の分析部２の分析および分析部２のメンテナンスを実行する。
【００１３】
以下、電解質項目と比色項目の分析について説明する。
【００１４】
試料容器を収容する試料ラック８を試料吸引位置まで駆動機構２４により搬送する。試料分注機構９に備えられた試料ノズル１８は、試料を測定する際に、必要な試料量を、試料ラック８の試料容器から吸引する。当該試料ノズル１８は、試料容器内の液体の高さを検出するため液面センサを備えている。装置は、予め、試料容器の形状を記憶しているため、試料容器内の液面高さから、試料容器内の液体の容量を算出することができる。
【００１５】
吸引された試料は、測定項目が電解質の場合には、電解質ユニット２０へ吐出され、電解質の濃度が測定される。一方、測定項目が比色項目の場合には、反応容器１０へ吐出される。試料が吐出された反応容器１０には、試薬分注機構１４の試薬ノズル１５によって試薬容器１２に充填された対象項目の試薬が添加される。試薬が添加された反応容器１０は、撹拌機構１６によって試料と試薬の撹拌が実施される。撹拌後、当該反応容器は反応槽１７で恒温状態を維持されながら、ランプから発せられる光軸を通過する。反応容器１０を通過した光量は光度計１１によって検出されたのち、データ演算ユニット５によって濃度算出がされる。
【００１６】
生体試料を用いる自動分析装置では、流路や洗浄機構を洗浄するために次亜塩素酸を用いることがある。次亜塩素酸は、塩化水素を発生しながら分解する不安定な物質の為、金属の機構を用いた装置には常時設置することが困難である。そのため、試料ラック８に類似の形状をした洗浄ラックを用いて、オペレータが必要時に次亜塩素酸を必要量セットして用いる。
【００１７】
操作部１の入力手段４において、測定したい項目の設定、測定のスタート等の測定に必要な情報の入力をすることができる。記憶部７は、データ演算ユニット５によって算出された測定した項目の濃度が記憶される。記憶部７として、例えばハードディスク、不揮発性メモリーなどのメモリーが挙げられる。ディスプレイ１９（表示部）は、測定した項目の濃度などが表示される。後述する洗浄ラックの洗浄容器のポジションの確認はセンサ２２によって行われる。
【００１８】
図２は自動分析装置の電解質ユニット概略構成図である。図２を用いて、電解質分析の動作を説明する。まず、内部標準液が内部標準液吐出ノズル３５より希釈槽３１に吐出される。次に、希釈槽３１内の内部標準液がシッパーノズル流路３２を経由して測定用電極３３へ吸引される。その後、流路が切り替わり、比較電極液が比較用電極３７に吸引される。このとき、比較用電極３７に対する内部標準液のＮａ、Ｋ、Ｃｌの起電力が測定される。その後、希釈槽３１内に残された内部標準液が、廃液ノズル流路３４に吸引され、廃棄される。次に、試料ノズル１８で分取された試料が、希釈槽３１に吐出される。さらに、希釈液吐出ノズル３６から希釈液が吐出され、試料が適宜希釈される。内部標準液と同様に、希釈された試料のＮａ、Ｋ、Ｃｌの起電力が測定され、その後、希釈槽３１内に残された希釈試料が、廃液ノズル流路３４に吸引され、廃棄される。さらに、次の試料測定に備えて希釈槽を洗浄するために、内部標準液が吐出され、最後に廃液ノズル流路３４に吸引され、廃棄される。このように、試料と内部標準液とを交互に測定し、内部標準液を基準に補正がなされ、測定値が算出される。
【００１９】
次にこの電解質測定ユニットを例に、洗浄ラックで外部から洗剤が供給される同一洗剤による複数のメンテナンス動作の例を説明する。
【００２０】
洗剤は洗剤容器３０に入れられ、洗浄ラックにより供給される。洗浄ラックは図３に示す形状をしている。洗浄ラックは特に限定されないが試料ラック８と同一形状をしている。図３の例では洗浄ラックに５つの洗浄容器が収容できるように構成されている。図３は自動分析装置に用いる洗浄ラックを上面から見た上面図である。
【００２１】
オペレータはいずれのポジションにも洗剤容器を設置することができ、装置はいずれのポジションに容器が設置されたかを装置のセンサを用いて検知することができる。例えば、装置のセンサはポジション１に洗剤容器が設置されていることを検知した場合には第１のメンテナンス動作、ポジション２に洗剤容器が設置されていることを検知した場合には第２のメンテナンス動作を実行するようにプログラムされている。
【００２２】
ここで第１のメンテナンス動作は、洗浄容器３０から洗剤を試料ノズル１８で吸引し、希釈槽３１に吐出、希釈液吐出ノズル３６を用いて希釈槽内で水を添加され、この水で希釈された洗剤をシッパーノズル（シッパーノズル流路３２の先端）で吸引することにより、シッパーノズル流路３２および測定用電極３３を洗浄する。
【００２３】
第２のメンテナンス動作は、希釈槽３１を洗浄する目的で、洗浄容器３０から洗剤を試料ノズル１８で吸引し、希釈槽３１に吐出、一定時間経過後に洗剤を廃液ノズルで吸引し、廃棄する。
【００２４】
図４に電解質測定ユニットのメンテナンス項目管理画面（以下、単に管理画面とも言う）の例を示す。図に示すように、洗浄周期、洗浄部位、洗浄ラック位置（ポジション）、必要洗剤量、前回実施日がディスプレイ１９に表示される。例えば、第１のメンテナンス動作の周期は１日、第２のメンテナンス動作の周期は１週間に設定されている。また、第１のメンテナンスはポジション１に割り当てられ、第２のメンテナンスはポジション２に割り当てられている。装置のコントローラはセンサ２２を介して搬送機構２４が搬送する洗浄ラックのどのポジションに洗浄容器が収容されているか識別する。コントローラは、識別した結果、メンテナンス項目管理画面で設定されたポジションに対応するメンテナンス動作を実行する。実行した場合には、実行したメンテナンス動作に対して前回実施日が更新される。なお、洗浄周期や必要洗剤量は同じ設定をすることも可能である。
【００２５】
このような管理画面においては、現在の日付が実施周期を超えるとメンテナンス項目管理画面の項目または文字の色が変わる、また別の警告画面にメッセージを出すなどしてオペレータにその旨報知することが望ましい。
【００２６】
オペレータは、管理画面を参考に必要な洗剤を準備する。このとき、オペレータの確認不足などにより、第１および第２のメンテナンスが必要または実施予定であるにもかかわらず、洗浄ラック上のポジション１または２のみに洗剤容器が設置されたり、ポジション１、２の両方に洗剤容器が設置されているが一方の容器内の洗剤量がメンテナンス実施に必要な量を下回っていたりすることがある。
【００２７】
第１および第２のメンテナンスが必要または実施予定であるにもかかわらず、洗浄ラック上いずれかの位置にしか洗剤容器が載せられていないことを装置が検知した場合には、メンテナンス項目管理画面の設定に従えばいずれかの位置に設置した洗剤容器に対応したメンテナンスしか実施されない。しかしながら、使用する洗剤が同一洗剤であることからこのような確認不足に該当する場合には、対応するポジションに洗剤容器が設置されていなくとも他方のメンテナンス動作を実施する。具体的には、試料ノズル１８の液面検知機能により検知された洗剤量から、容器位置により実施されるべきメンテナンスに使用される洗剤量を引いた残量がもう一方のメンテナンスに必要な量を上回る場合には両方のメンテナンスを実施する。
【００２８】
また、ポジション１、２の両方に洗剤容器が設置されているが一方の容器内の洗剤量がメンテナンス実施に必要な量を下回っていることを装置が検知した場合には、一方の容器ポジションに対応するメンテナンスは実行されないのが通常の考え方であるが、ここでは双方のポジション１、２に設置された洗剤容器内の洗剤量の合計が２つのメンテナンスの必要洗剤量の合計よりも多い場合には、両方のメンテナンスを実施する。使用する洗剤が同一洗剤であることから互いに洗剤を融通できるためである。
【００２９】
これらのようにすることで、オペレータによるミスをリカバーし適切なメンテナンスを実行することができる。
【００３０】
特に、洗浄周期との関係でオペレータが上記ミスをしたとしても洗浄周期内であれば特別にミスをリカバーする必要性は小さいと考えられるので、敢えて実行せずに洗浄周期を超えていた場合に上記の手段を実施してもよい。
【００３１】
図５はメンテナンスのフロー図である。図５を用いてメンテナンスのフローを説明する。当該フローはコントローラ６により実行される。
【００３２】
まずメンテナンス周期管理を常に実行している（Ｓ１０）。メンテナンス周期管理とは図４の画面で、現在の日付が前回実施日と洗浄周期から洗浄周期内にあるか洗浄周期外にあるかを判定することである。
【００３３】
次に、コントローラは洗浄ラックによる同じ洗剤（同一組成の洗剤）を用いる二種類のメンテナンスが必要か否かを判定する（Ｓ２０）。ここで必要か否かの判定は二種類のメンテナンスの両方が洗浄周期外あるか否かを判定する。例えば、「シッパーノズル流路」と「希釈槽」の両方が洗浄周期外にあるか否かを判定する。なお、必ずしも洗浄周期外にあることが必須の要素ではないが本フローでは説明の便宜上このことを前提に説明する。
【００３４】
ここの判定でＮｏであった場合には、前述のオペレータのミスをリカバーする制御の対象外であるため説明は省略する。一方、ここの判定でＹＥＳであった場合には、管理画面により、洗浄ラックによる同一組成の洗剤を用いる二種類のメンテナンスを実行するようアナウンスする（Ｓ３０）。これは前述のようにオペレータに二種類のメンテナンスが洗浄周期外にある旨報知してメンテナンス洗浄を促す。
【００３５】
次に、オペレータ（ユーザー）は、この報知によりメンテナンスの必要性を認識した上で、洗浄ラックを準備し、洗剤を洗剤容器に入れ、メンテナンスに対応する洗浄ラックのポジションに洗剤容器を設置する（Ｓ４０）。オペレータはこの洗浄ラックを装置のラック搬入口に設置する。
【００３６】
オペレータは、スタートボタンを押下することで実際に洗浄ラックを装置内に投入する（Ｓ５０）。
【００３７】
コントローラは搬送機構２４を制御することで洗浄ラックを試料吸引位置に向かって搬送させる。このとき、センサ２２の前を通過することでコントローラは洗浄ラック上の容器設置位置を確認する（Ｓ６０）。これによりコントローラはオペレータがどのようなメンテナンスを実行したいと考えたかを識別する。
【００３８】
そして、コントローラは、センサ２２を用いて、実施すべきすべての洗浄に対応する位置に容器が設置されているか判定する（Ｓ７０）。ここで「実施すべき」とは洗浄周期外にあるメンテナンスのことを指す。なお、前述のように、必ずしも洗浄周期外に拘る必要はなく図３で割り当てられた洗浄ラックの位置に対応するすべての位置に容器が設置されているか判定するやり方でも構わない。
【００３９】
ここで、ＹＥＳの場合には、洗浄ラック上のポジションに従いメンテナンスを実行する（Ｓ８０）。但し、試料ノズル１８の液面検知機能により検知された洗剤量が夫々の必要洗剤量を上回っている場合である。実行が完了すると夫々の前回実施日は更新される。
【００４０】
一方、ＮＯの場合には、オペレータが洗剤容器の設置し忘れなどのミスであると考えられ、リカバーするための制御を行う。まず、すべてのポジションに洗剤容器が設置されていない場合は例外的に説明の対象外ではあるが、何れか一方に洗剤容器が設置されている場合には、この容器内の洗剤量を試料ノズル１８の液面検知機能により検知する。そして、コントローラは、検知した洗剤量が洗剤位置により実施されるメンテナンスに使用される洗剤量（必要洗剤量）ともう一方のメンテナンスに使用される洗剤量（必要洗剤量）の合計と比較し、検知した洗剤量がこの合計以上あるかを判定する（Ｓ９０）。
【００４１】
もし、この判定がＮＯであれば、コントローラはリカバーすることを断念し、洗浄ラック上のポジションに従いメンテナンスを実行する（Ｓ８０）。一方、この判定がＹＥＳであれば、リカバーする。つまり、洗剤容器が設置されていないポジションに対応するメンテナンスにも係らず設置されている洗剤を用いて両メンテナンスを実施する（Ｓ１００）。
【００４２】
このようすることで、オペレータが洗剤容器の設置をミスした場合でも適切メンテナンスを実行できる。
【００４３】
ここで、オペレータは両メンテナンスに対応するポジションに洗剤容器を設置したものの試料ノズル１８の液面検知機能により洗剤量が不足していることが判明する場合がある。実際に試料ノズル１８を洗剤容器に挿入することで初めてコントローラは洗剤量を認識できるためである。例えば、実施順が後のメンテナンス用の洗剤量が不足していることが判明した場合、実施順が前の洗剤容器に必要な量の洗剤が残っていれば、ラックをその吸引位置に戻してメンテナンスを行うことが考えられる。その際、ラックの搬送は、搬送機構２４を通常ラックが搬送される向きと逆向きに搬送してもよいし、ラック待機ポジションを持つ装置においては、一旦ラック待機ポジションに戻って再び試料吸引位置まで搬送してもよい。また、逆に実施順が先のメンテナンス用の洗剤量が不足していることが判明した場合、実施順が後の洗剤容器に必要な量の洗剤が残っている、若しくは、洗剤容器内の洗剤量がＳ９０の合計以上である場合には、Ｓ１００のように十分洗剤量がある方の洗剤を用いて両メンテナンスを実行することも可能である。
【００４４】
または、試料ノズル１８の液面検知機能に頼らない制御も可能である。例えば、光学センサなどによる液量検知が考えられる。この光学センサはセンサ２２と兼ねてもよいし、別のセンサを設けてもよい。例えば、洗剤容器が載せられてはいるものの光学センサなどによる液量検知によりメンテナンス開始前（洗剤容器に試料ノズル１８を挿入する前）に洗浄ラック上のいずれかの位置の洗剤量が不足していることを装置が検知することもできる。この場合には、容器位置により実施されるべきメンテナンスに使用される洗剤量を引いた残量がもう一方のメンテナンスに必要な量を上回る場合、若しくは、一方の洗剤容器内の洗剤量がＳ９０の合計以上である場合には、Ｓ１００のように十分洗剤量がある方の洗剤を用いて両メンテナンスを実行することも可能である。このようにすれば、前述のように洗浄ラックを逆向きに搬送したり、一旦ラック待機ポジションに戻して再び試料吸引位置まで搬送するといった制御が不要となる。
【００４５】
あるいは、各メンテナンスに予め優先順位を設定し記憶部７に記憶させておく手段も有効である。各メンテナンスに優先順位が設定されている場合には、設置されている洗剤の総量から、優先順位が高くかつ洗剤量が足りるメンテナンスから実施することも可能である。例えば、「希釈槽」の優先順位を高く設定し、「シッパーノズル流路」の優先順位を設定していた場合に、オペレータは夫々の洗剤容器に２．２ｍｌと０．７ｍｌの洗剤を入れてメンテナンスをしようとしたところ、誤って洗剤容器のポジションを逆に設置してしまうミスも考えられる。この場合には、「シッパーノズル流路」の洗浄のために０．５ｍｌ使用するので残りの洗剤は１．７ｍｌとなり、１．７ｍｌと０．７ｍｌとの夫々は「希釈槽」のメンテナンスで必要とされる２．０ｍｌに満たない。このため、予め優先順位を設定しておくことで必ず優先順位の高い「希釈槽」を先にメンテナンスを実行するようにしてもよい。この場合、ポジション２の洗剤容器でメンテナンスを実行するように割り当てられている設定を解除して２．０ｍｌ以上あるポジション１に設置された洗剤容器の洗剤を用いて先に「希釈槽」のメンテナンスを実行してもよい。なお、この場合であっても、試料ノズルの液面検知機能やセンサ２２の液量検知のいずれの場合でも実現できる。
【００４６】
また、優先順位を設定しておかなくとも、夫々の洗剤容器の洗剤の合計量がメンテナンスの必要洗剤量の合計以上の場合には、夫々の容器内の洗剤の双方を使用して２つのメンテナンスを実行してもよい。例えば、先の例では残りは、１．７ｍｌと０．７ｍｌを合計すると２．４ｍｌで「希釈槽」のメンテナンスの必要洗剤量２．０ｍｌ以上であり夫々の洗剤容器から洗剤を吸引することで２．０ｍｌの洗剤量を賄うことができる。このようにすることで、誤って洗剤容器のポジションを逆に設置してしまうミスがあっても両方のメンテナンスを実行できる。逆に設置してしまい、かつ、一方の洗剤量が不足するような複合的なミスも想定されるため、優先順位の設定を行いメンテナンスの実行順番を予め設定しておき、設置されている洗剤の総量から優先順位が高くかつ洗剤量が足りるメンテナンスから実施することで、優先順位の高いメンテナンスを優先的に実行することもできる。
【００４７】
以上、メンテナンスの例として２種類の例を示したが同じ洗剤を３種類以上のメンテナンスで使用する場合でも同様の考え方で実現することができる。
【００４８】
また、説明の便宜上、図３のようにラックのポジション毎に予めメンテナンスを割り当て、装置側でラックに収容された洗剤容器の位置によって実行するメンテナンスを装置が自動で識別する例を説明したが、必ずしもこの形態に開示技術は限定されるものではない。つまり、操作部１側でオペレータが実行するメンテナンスを指定してもよい。このような場合には、必ずしもポジション毎に夫々メンテナンスを指定しなくともよい。例えば、ポジション１に「シッパーノズル流路」と「希釈槽」のメンテナンスを指定して１つの洗剤容器内の洗剤を用いて両方のメンテナンスを実行してもよい。なお、洗剤ラックは５本の洗剤容器を収容するものでなくてもよく１本の洗剤容器を収容するものであっても２本以上収容するものであってもいずれでもよい。但し、ポジション毎に夫々のメンテナンスを割り当てる又は操作部から指定する場合には２本以上の洗剤容器を収容するラックである必要がある。
【００４９】
また、図５では、管理画面でアナウンスされた洗浄周期外にあるメンテナンスに対応するラックのポジションのすべてに洗剤容器が設置されているかを判定して制御する例を示したが、この判定は必ずしも洗浄周期外にあるメンテナンスに対応するラックのポジションを基準とする必要はない。例えば、操作部１側でオペレータが指定したメンテナンスに対応するラックのポジションを基準としてもよい。
【００５０】
上記では、洗剤量の判定は液面検知機能を用いたが、容器形状が予め判明していることで液面を検知した高さと容器形状とから洗剤量を判定することができる。但し、必ずしも容器形状が判明している必要はなく液面を検知した高さのみから洗剤量を判定することもできる。正確な量でなくとも大凡の量が判定できればよいためである。従い、請求項の記載で「洗剤量を判定」と言うときには正確な量の判定のみならず液面検知機能の液面高さやセンサ２２の液面検知による液面高さの判定もこの「洗剤量を判定」に含まれる。
【００５１】
なお、電解質測定ユニットの例を説明したが、電解質測定ユニットと比色分析ユニットが連結された装置である場合、電解質測定ユニットと比色ユニットで同一洗剤による複数の洗浄動作がある場合や、比色ユニットで同一洗剤による複数の洗浄動作がある場合にも同様に洗浄動作を制御することができる。
【００５２】
また、搬送機構２４がラックの搬送機構である場合を例にしたが、試料ディスクを用いるタイプの自動分析装置においても本開示技術は適用できる。この場合、試料ディスクの回転駆動機構が搬送機構に該当する。
【００５３】
以上、実施形態について説明した。以下、効果について説明する。
【００５４】
上記実施形態では、コントローラは、分析部のメンテナンスの実行の際に、搬送機構２４を制御することで洗剤が含まれる洗剤容器が収容された容器収容手段（ラック又は試料ディスク）を試料吸引位置まで搬送し、洗剤容器内の洗剤量を判定し、判定された洗剤容器内の洗剤量が第１使用量と第２使用量の合計以上あるか否かを判定し、判定の結果、洗剤容器内の洗剤量が前記合計以上あると判定した場合には、試料ノズルで第１および第２メンテナンスのために洗剤を吸引させ、夫々のメンテナンスを実行することを説明した。
【００５５】
これにより、同じ洗剤に対して２種類のメンテナンスを実行しようとする場合には、オペレータが入れた洗剤量が使用量の合計よりも多い場合には確実に２種類のメンテナンスを実行することができる。具体的には、十分な量の洗剤が設置されないといったオペレータのミスや洗剤容器の設置し忘れのミス等があった場合についても他の位置に設置された洗剤をミスした箇所のメンテナンスに使用することができ、セットされている洗剤の容量に適したメンテナンスを装置が自動的に判断し確実に実行することが可能となる。
【００５６】
なお、ここで言う「洗剤量を判定」には１つの洗剤容器内の洗剤量の判定のみならず広義には異なる洗剤容器での洗剤量の合計の判定も「洗剤量を判定」に含まれる。
【００５７】
また、複数のメンテナンスに対して同じ洗剤を用いる場合でも夫々異なる洗剤設置位置に設置しなければならないという課題に対しオペレータの作業の効率化を図ることができる。当然にこれまで通り、ラック上の洗剤設置位置に応じて、洗浄箇所や、洗浄動作が選択されるようプログラムされていて、夫々異なる洗剤設置位置に洗剤容器を夫々設置した場合や単一の設置位置に洗剤容器を設置した場合でも、同じメンテナンスを実行できる仕様としてもよい。すなわち、オペレータの都合を考慮し、オペレータが設置位置の選択と洗剤量の調節により、同じ目的のためにいずれの手段をも用いれるようにしてもよい。
【００５８】
また、コントローラは、第１と第２メンテナンスのいずれかを実行すべきかを識別し、  判定された洗剤容器内の洗剤量が前記合計以上であると判定した場合には、識別されたメンテナンスと、識別されていないメンテナンスの第１および第２メンテナンスの双方を実行することが望ましい。これにより、コントローラが当初識別したメンテナンス以外でも当初識別していなかったメンテナンスについても実行することができる。例えば、図５で説明したように一方のポジションに洗剤容器を設置し忘れた場合にはコントローラは一方のメンテナンスのみを実行すべきと識別するが、洗剤量の判定により設置し忘れた方のメンテナンスについてもリカバーして実行することができる。なお、前述のように操作部１側でオペレータが実行するメンテナンスを指定してもよい。すなわち、コントローラがどのメンテナンスを実行すべきかの識別には、ラックのポジション以外でもオペレータが実行するメンテナンスを指定することでもコントローラの識別に該当する。
【００５９】
また、第１および第２メンテナンスのメンテナンス周期と夫々のメンテナンスに対して前回の実施時期を記憶する記憶部を備え、コントローラは、識別されていないメンテナンスにおいては、記憶部に記憶された前回の実施時期とメンテナンス周期に基づき識別されていないメンテナンスの実行の要否の判定を行うことが望ましい。このようにすることで、コントローラが当初メンテナンスを実施すべきと識別しなかったメンテナンスについても、メンテナンス周期外の場合に限りメンテナンスを実行するようにし、オペレータが意図しない又は必要性の薄いメンテナンスの実行を避け、必要性の高いメンテナンスに対してオペレータの設置ミスをリカバーすることができる。
【００６０】
また、コントローラは、容器収容手段（ラック又は試料ディスク）に収容された洗剤容器の位置に応じて前記第１および第２メンテナンスのいずれかを実行すべきかを識別することが望ましい。これにより、オペレータが容器収容手段に設置する位置を選択するといった簡便な方法でメンテナンスの種類を指定することができる。
【００６１】
また、コントローラは、容器収容手段（ラック又は試料ディスク）の第１位置に洗剤容器が収容されている場合には第１メンテナンスを実行するよう識別し、容器収容手段（ラック又は試料ディスク）の第２位置に洗剤容器が収容されている場合には前記第２メンテナンスを実行するように識別し、第１位置に洗剤容器が収容されているか否か、第２位置に洗剤容器が収容されているか否かを判定し、当該判定結果に基づき、洗剤容器の位置に応じて対応するメンテナンスを実行し、コントローラは、以下の（１）〜（３）の条件を判定し、全ての条件を満たす場合に、第１および第２メンテナンスの双方を実行することが望ましい。（１）前記第１位置に洗剤容器が収容され、且つ、前記第２位置に洗剤容器が収容されていない場合、（２）前記第１位置の洗剤容器内の洗剤量が前記第１使用量と前記第２使用量の合計以上ある場合、（３）前記記憶部に記憶された前記第２メンテナンスの前回の実施時期と前記第２メンテナンスのメンテナンス周期に基づき、現在の時期が前記メンテナンス周期を超えている場合。これにより、オペレータの容器の設置し忘れに対してもメンテナンス周期外に限定して両方のメンテナンスを確実に実行することができる。
【００６２】
また、上記実施形態では、第１メンテナンスと第２メンテナンスの優先順位を記憶する記憶部をさらに備え、コントローラは、分析部のメンテナンスの実行の際に、搬送機構２４を制御することで、洗剤が含まれる洗剤容器が収容された容器収容手段（ラック又は試料ディスク）を試料吸引位置まで搬送し、優先順位の識別と、洗剤容器内の洗剤量を判定し、第１メンテナンスが優先順位について最も高い順位として記憶されていた場合に、判定された洗剤容器内の洗剤量が、第１使用量以上あるか否かを判定し、判定の結果、洗剤容器内の洗剤量が前記第１使用量以上あると判定した場合には、試料ノズルで第１メンテナンスのために洗剤を吸引させ、第１メンテナンスを実行することを説明した。
【００６３】
これにより、同じ洗剤に対して２種類のメンテナンスを実行しようとする場合でも優先順位の最も高い順位については確実にメンテナンスを実行することができる。なお、ここで言う「洗剤量を判定」には１つの洗剤容器内の洗剤量の判定のみならず広義には異なる洗剤容器での洗剤量の合計も洗剤量の判定に含まれる。また、洗剤ラックは５本の洗剤容器を収容するものでなくてもよく１本の洗剤容器を収容するものであっても２本以上収容するものであってもいずれでもよい。但し、ポジション毎に夫々のメンテナンスを割り当てる又は操作部から指定する場合には２本以上の洗剤容器を収容するラックである必要がある。
【００６４】
また、コントローラは、判定の結果、洗剤容器内の洗剤量が第１使用量未満であると判定した場合には、優先順位について次に高い順位として記憶されている第２メンテナンスについて、判定された洗剤容器内の洗剤量が、第２使用量以上あるか否かを第２判定し、第２判定の結果、洗剤容器内の洗剤量が第２使用量以上（第２使用量は第１使用量よりも小さいとする）であると判定した場合には、試料ノズルで第２メンテナンスのために洗剤を吸引させ、第２メンテナンスを実行することが望ましい。これにより、優先順位が高いメンテナンスであっても洗剤量がこの使用量に満たない場合であって次に優先順位の高いメンテナンスを実行することができる。
【００６５】
また、コントローラは、容器収容手段（ラック又は試料ディスク）の第１位置に洗剤容器が収容されている場合には第１メンテナンスを実行するよう識別し、容器収容手段（ラック又は試料ディスク）の第２位置に洗剤容器が収容されている場合には第２メンテナンスを実行するように識別し、第１メンテナンスが優先順位について最も高い順位として記憶され、第２メンテナンスが次に高い順位として記憶され、第１位置と第２位置に夫々洗剤容器が収容されている場合には、第１および前記第２メンテナンスを実行し、第１位置に洗剤容器が収容されておらず第２位置に洗剤容器が収容されている場合には、第２位置に収容された洗剤容器内の洗剤を用いて第１メンテナンスを優先的に実行することが望ましい。これにより、オペレータがポジションを間違えて洗剤容器を設置した場合においても優先順位の高いメンテナンスを優先的に実行することができる。
【００６６】
また、コントローラは、第２位置に収容された洗剤容器内の洗剤量が第１使用量と第２使用量の合計以上あるか否かを第３判定し、第３判定の結果、洗剤容器内の洗剤量が合計以上あると判定した場合には、第２位置に収容された洗剤容器内の洗剤を用いて第１メンテナンス、第２メンテナンスの順に実行することが望ましい。これにより、一方の洗剤容器の洗剤を用い、かつ、優先順位を考慮したメンテナンスを実行することができる。
【００６７】
また、コントローラは、第１および第２位置に夫々洗剤容器が収容されている場合に、夫々の洗剤容器内の洗剤量を判定し、且つ、これらを合算し、合算された洗剤量および優先順位に基づき、優先順位の高い前記第１メンテナンス、次に優先順位の高い前記第２メンテナンスの順に実行することが望ましい。これにより、合算された洗剤量および優先順位に基づき、一方の洗剤容器の洗剤量が不足している場合であっても他の洗剤容器の洗剤量を用いて、かつ、優先順位を考慮したメンテナンスを実行することができる。
【００６８】
また、さらに、第１および第２メンテナンスのメンテナンス周期と夫々のメンテナンスに対して前回の実施時期を記憶する記憶部を備え、コントローラは、記憶部に記憶された第１および前記第２メンテナンスの前回の実施時期と第１および前記第２メンテナンスのメンテナンス周期に基づき、現在の時期が夫々の前記メンテナンス周期を超えているか否かを判定し、優先順位の識別は、メンテナンス周期を超えているメンテナンスの中から優先順位の高低を識別することが望ましい。このようにすることで、メンテナンス周期外の場合に限りメンテナンスを実行するようにし、オペレータが意図しない又は必要性の薄いメンテナンスの実行を避け、必要性の高いメンテナンスに対してオペレータの設置ミスをリカバーすることができ、且つ、優先順位順にメンテナンスを実行することができる。
【００６９】
また、コントローラは、現在の時期がメンテナンス周期を超えた場合に、その旨をオペレータに報知することが望ましい。これにより、オペレータはメンテナンスの実施の必要性を認識することができる。
【００７０】
また、コントローラは、洗剤量を判定する際に、洗剤容器内の液面高さの情報から判定することもできる。加えて、コントローラは、予め記憶されている洗剤容器の容器形状と、液面高さの情報とから、洗剤量を判定することもできる。洗剤容器の容器形状を考慮することで正確な洗剤量を判定することができる。
【００７１】
また、液面高さの情報を検出するセンサを備え、コントローラは、このセンサから検出された液面高さ情報を取得することもできる。ノズルの液面の液面検知機能とは別のセンサを用いることでコントローラは洗剤容器にノズルを挿入する前に各洗剤容器の液面高さ情報又は洗剤量を把握することができる。このようにすることで、前述のように洗浄ラックを逆向きに搬送したり、一旦ラック待機ポジションに戻して再び試料吸引位置まで搬送するといった制御が不要となる。
【００７２】
また、分析部は、電解質分析部であり、電解質分析部は、試料を希釈する希釈槽と、希釈された試料を測定する測定用電極と、希釈槽と前記測定用電極との間の流路とを有し、第１および第２メンテナンスは、一方は洗剤を希釈せずに希釈槽を洗浄するメンテナンスであり、他方は洗剤を希釈しこの流路を洗浄するメンテナンスであることが望ましい。これにより、電解質分析部に対しセットされている洗剤の容量に適したメンテナンスを自動的に判断し実行することが可能である。但し、この２種類のメンテナンスに本開示技術は限定されない。
【符号の説明】
【００７３】
１…操作部
２…分析部
３…インタフェース
４…入力手段
５…データ演算ユニット
７…記憶部
８…試料ラック
９…試料分注機構
１０…反応容器
１１…光度計
１２…試薬容器
１４…試薬分注機構
１５…試薬ノズル
１６…攪拌機構
１７…反応槽
１８…試料ノズル
１９…ディスプレイ
２０…電解質ユニット
２２…センサ
２４…搬送機構
３０…洗剤容器
３１…希釈槽
３２…シッパーノズル流路
３３…測定用電極
３４…廃液ノズル流路
３５…内部標準液吐出ノズル
３６…希釈液吐出ノズル
３７…比較用電極
【図１】
2018169166.tif 000003
【図２】
2018169166.tif 000004
【図３】
2018169166.tif 000005
【図４】
2018169166.tif 000006
【図５】
2018169166.tif 000007